(57)【要約】【課題】    本発明の目的は、乾燥した海苔又はふりかけの食感を保つことができるおにぎりケースを提供するものである。【解決手段】    おにぎりケースＭは、内部におにぎり２’又はご飯２を収納するための収納容器本体１と、収納容器本体１の外側に設けられ、海苔４又はふりかけを収納するスペースＳと、このスペースＳを覆う覆い体３とを備えているものである。【選択図】図６
2015164480.tif 000002
【特許請求の範囲】
【請求項１】
内部におにぎり又はご飯を収納するための収納容器本体と、
前記収納容器本体の外側に設けられ、海苔又はふりかけを収納するスペースと、
このスペースを覆う覆い体とを備えている
ことを特徴とするおにぎりケース。
【請求項２】
収納容器本体内に前記収納容器本体の開口部を介してご飯を収納し、収納後、前記開口部を閉じ、前記開口部を閉じた前記収納容器本体を振って、前記収納容器本体内の前記ご飯を固めておにぎりを形成し、形成後、前記開口部から前記おにぎりを取り出し、取り出した前記おにぎりに前記収納容器本体の外側面に収納した海苔又はふりかけを付着させる
ことを特徴とするおにぎりの形成方法。
【請求項３】
収納容器本体内には、ご飯が収納され、
前記収納容器本体は、凹状の容器部材と、この容器部材の開口部を開閉する蓋体を有するか、又は、凹状の第１の容器部材と、この第１の容器部材の第１の開口縁部に当接する第２の開口縁部を有した凹状の第２の容器部材とを設け、前記第１の開口縁部と前記第２の開口縁部を当接させたものであり、
前記収納容器本体の内壁面全体に亘ってシボ加工が施されている
ことを特徴とする請求項１記載のおにぎりケース。
【請求項４】
収納容器本体内には、おにぎりが収納され、
前記収納容器本体は、凹状の容器部材と、この容器部材の開口部を開閉する蓋体を有するか、又は、凹状の第１の容器部材と、この第１の容器部材の第１の開口縁部に当接する第２の開口縁部を有した凹状の第２の容器部材とを設け、前記第１の開口縁部と前記第２の開口縁部を当接させたものである
ことを特徴とする請求項１記載のおにぎりケース。
【請求項５】
おにぎりの形が三角形の場合、収納容器本体は、正面視及び背面視において、略三角形であり、左側面視、右側面視、平面視及び底面視において、略長方形であり、
前記おにぎりの形が円形、円柱形（俵形）の場合、前記収納容器本体は、正面視及び背面視において、略円形であり、左側面視、右側面視、平面視及び底面視において、略長方形であり、
スペースは、少なくとも、前記収納容器本体の底面から前記収納容器本体の正面又は前記収納容器本体の背面に亘って形成されている
ことを特徴とする請求項１、３、４のいずれか１記載のおにぎりケース。
【発明の詳細な説明】
【技術分野】
【０００１】
本発明は、おにぎりケース及びおにぎりの形成方法に係り、特に、乾燥した海苔又はふりかけの食感を保つことができるおにぎりケース及びおにぎりの形成方法に関する。
【背景技術】
【０００２】
従来、例えば、おにぎりケース（特許文献１）として、下容器体（１）におにぎりを入れ、上容器体（３）にて施蓋すると共に、弾性リング紐（５）を係止片（２）（２）に係止させるようにしたものがある。
【先行技術文献】
【特許文献】
【０００３】
【特許文献１】実公平７−１９２７７号公報
【発明の概要】
【発明が解決しようとする課題】
【０００４】
ところが、上記おにぎりケースには、おにぎりとは別に海苔を収納するスペースがないため、おにぎりと海苔を一緒に収納しなければならず、一緒に収納すると、おにぎりの蒸気が海苔に当たり、海苔の風味、食感等が損なわれるという問題点があった。
【０００５】
本発明は、上記の問題点を除去するようにしたおにぎりケース及びおにぎりの形成方法を提供することを目的とする。
【課題を解決するための手段】
【０００６】
請求項１記載のおにぎりケースは、内部におにぎり又はご飯を収納するための収納容器本体と、前記収納容器本体の外側に設けられ、海苔又はふりかけを収納するスペースと、
このスペースを覆う覆い体とを備えているものである。
【０００７】
また、請求項２記載のおにぎりの形成方法は、収納容器本体内に前記収納容器本体の開口部を介してご飯を収納し、収納後、前記開口部を閉じ、前記開口部を閉じた前記収納容器本体を振って、前記収納容器本体内の前記ご飯を固めておにぎりを形成し、形成後、前記開口部から前記おにぎりを取り出し、取り出した前記おにぎりに前記収納容器本体の外側面に収納した海苔又はふりかけを付着させるものである。
【０００８】
また、請求項３記載のおにぎりケースは、請求項１記載のおにぎりケースにおいて、  収納容器本体内には、ご飯が収納され、前記収納容器本体は、凹状の容器部材と、この容器部材の開口部を開閉する蓋体を有するか、又は、凹状の第１の容器部材と、この第１の容器部材の第１の開口縁部に当接する第２の開口縁部を有した凹状の第２の容器部材とを設け、前記第１の開口縁部と前記第２の開口縁部を当接させたものであり、前記収納容器本体の内壁面全体に亘ってシボ加工が施されているものである。
【０００９】
また、請求項４記載のおにぎりケースは、請求項１記載のおにぎりケースにおいて、収納容器本体内には、おにぎりが収納され、前記収納容器本体は、凹状の容器部材と、この容器部材の開口部を開閉する蓋体を有するか、又は、凹状の第１の容器部材と、この第１の容器部材の第１の開口縁部に当接する第２の開口縁部を有した凹状の第２の容器部材とを設け、前記第１の開口縁部と前記第２の開口縁部を当接させたものである。
【００１０】
また、請求項５記載のおにぎりケースは、請求項１、３、４のいずれか１記載のおにぎりケースにおいて、おにぎりの形が三角形の場合、収納容器本体は、正面視及び背面視において、略三角形であり、左側面視、右側面視、平面視及び底面視において、略長方形であり、前記おにぎりの形が円形、円柱形（俵形）の場合、前記収納容器本体は、正面視及び背面視において、略円形であり、左側面視、右側面視、平面視及び底面視において、略長方形であり、スペースは、少なくとも、前記収納容器本体の底面から前記収納容器本体の正面又は前記収納容器本体の背面に亘って形成されているものである。
【発明の効果】
【００１１】
請求項１記載のおにぎりケースによれば、収納容器本体内におにぎり又はご飯、収納容器本体の外側に設けられたスペースに海苔又はふりかけを個別に収納し、食する時、おにぎり又はご飯に海苔又はふりかけを付着させて食べることができるため、収納容器本体内において海苔又はふりかけがおにぎり又はご飯に接触しない分、乾燥した海苔又はふりかけをおにぎり又はご飯と共に食することができる。
【００１２】
また、請求項２記載のおにぎりの形成方法によれば、食するまでに、ご飯を収納された収納容器本体を数回振れば、ご飯は固められておにぎりが容易に形成でき、形成後、開口部から前記おにぎりを取り出し、取り出した前記おにぎりに前記収納容器本体の外側面に収納した海苔又はふりかけを付着させるため、手を汚さないでおにぎりを形成でき、しかも、収納容器本体内において海苔又はふりかけがおにぎり又はご飯に接触しない分、乾燥した海苔又はふりかけをおにぎりに付着させて食することができる。
【００１３】
また、請求項３記載のおにぎりケースによれば、上記請求項１記載の発明の効果に加え、食するまでに、ご飯を収納された収納容器本体を数回振れば、ご飯は収納容器本体のシボ加工が施された内壁面にくっつかずに固められておにぎりが容易に形成でき、収納容器本体を開口して、蓋体又は第１の容器部材（又は第２の容器部材）の方へおにぎりを移行させることができ、移行させた場合、おにぎりが蓋体又は第１の容器部材（又は第２の容器部材）から露出する分、おにぎりに海苔又はふりかけを容易に付着させることができる。
【００１４】
また、請求項４記載のおにぎりケースによれば、上記請求項１記載の発明の効果に加え、食するときは、収納容器本体を開口して、蓋体又は第１の容器部材（又は第２の容器部材）の方へおにぎりを移行させることができ、移行させた場合、おにぎりが蓋体又は第１の容器部材（又は第２の容器部材）から露出する分、おにぎりに海苔又はふりかけを容易に付着させることができる。
【００１５】
また、請求項５記載のおにぎりケースによれば、上記請求項１、３、４、のいずれか１記載の発明の効果に加え、海苔又はふりかけを収納するスペースは、少なくとも、収納容器本体の底面から前記収納容器本体の正面又は前記収納容器本体の背面に亘って形成されているため、収納容器本体を有効活用して、より多くの海苔又はふりかけを収納することができる。
【図面の簡単な説明】
【００１６】
【図１】図１は、本発明の一実施例のおにぎりケースの概略的正面図である。
【図２】図２は、図１の概略的右側面図である。
【図３】図３は、図１の概略的底面図である。
【図４】図４は、図１の概略的平面図である。
【図５】図５は、図１のＡ−Ａ線による概略的断面図である。
【図６】図６は、図１の収納容器本体の開口部を介してご飯を収納した状態の概略的分解斜視図である。
【図７】図７は、図６の収納容器本体の開口部を蓋体で閉じ、覆い体を開いて、海苔を収納する状態の概略的斜視図である。
【図８】図８は、図７の覆い体を閉じた状態の概略的斜視図である。
【図９】図９は、図８のおにぎりケースを手に持って振っておにぎりを形成した後、蓋体の方へおにぎりを移行させた状態の概略的斜視図である。
【図１０】図１０は、図９のおにぎりケースから取り出した海苔をおにぎりに付着させる状態の概略的斜視図である。
【図１１】図１１は、図１０の海苔をおにぎりに付着させた状態の概略的斜視図である。
【図１２】図１２（ａ）は、図１のおにぎりケースと異なる他の実施例の概略的正面図であり、図１２（ｂ）は、図１２（ａ）のＢ−Ｂ線による概略的断面図である。
【発明を実施するための形態】
【００１７】
本発明の一実施例のおにぎりケースを図面を参照して説明する。
図１〜図１１に示すＭはおにぎりケースで、おにぎりケースＭは、内部にご飯２（又はおにぎり）を収納するための収納容器本体１を有する。
なお、望ましくは、おにぎりケースＭの内壁面ＩＮ（図５参照）全体に亘って図示しないシボ加工が施されている方が良い。
収納容器本体１は、例えば、凹状の容器部材１１と、この容器部材１１の開口部１１Ａを開閉する蓋体１２を有する。図６に示す１１Ｂは容器部材１１に設けられた係止部材で、係止部材（例えば、突起部）１１Ｂは、蓋体１２に設けられた被係止部材（例えば、開口部）１２Ｂに係止するようになっている。
【００１８】
また、図１に示す３は覆い体で、覆い体３は、スペースＳを覆うもので、スペースＳは、図５に示すように、収納容器本体１の外側に設けられ、海苔４又は図示しないふりかけ（図示しないふりかけは、例えば、小袋入りのふりかけ）を収納するものである。
スペースＳの周囲は、例えば、図７に示すように、壁５で囲まれている。覆い体３は、例えば、回動自在に支持され、覆い体３の裏面側に設けた係止部３１を壁５に設けた被係止部５１に係止するようにしている。図５に示す３２は、覆い体３に設けた摘みである。
【００１９】
従って、上述したおにぎりケースＭによれば、収納容器本体１内にご飯２（又はおにぎり２’）、収納容器本体１の外側に設けられたスペースＳに海苔４又は図示しないふりかけを個別に収納し、食する時、ご飯２（又はおにぎり２’）に海苔４又は図示しないふりかけを付着させて食べることができるため、収納容器本体１内において海苔４又は図示しないふりかけがご飯２（又はおにぎり２’）に接触しない分、乾燥した海苔４又は図示しないふりかけをご飯２（又はおにぎり２’）と共に食することができる。
【００２０】
おにぎりケースＭの内壁面ＩＮ（図５参照）全体に亘って図示しないシボ加工が施されている最良な場合について、説明すれば、以下の通りとなる（図示しないシボ加工ｈａ，場合により省略することもできる。）。
おにぎりケースＭの内壁面ＩＮ全体に亘ってシボ加工が施された収納容器本体１内に収納容器本体１の開口部１１Ａを介してご飯２を収納し（図６参照）、収納後、例えば、蓋体１２で開口部１１Ａを閉じ（図８参照）、その際、スペースＳ内に海苔４又は図示しないふりかけを収納（図７参照）し、覆い体３で覆う（図８参照）。
覆い体３で覆った収納容器本体１を例えば、手で振って、収納容器本体１内のご飯２を固めておにぎり２’を形成し、形成後、開口部１１Ａからおにぎり２’を取り出し、取り出したおにぎり２’に収納容器本体１の外側面に収納した海苔４又は図示しないふりかけを付着させて（図９乃至図１１参照）、おにぎり２’を形成することができる。
【００２１】
つまり、上述したおにぎりの形成方法によれば、食するまでに、ご飯２を収納された収納容器本体１を数回振れば、ご飯２は収納容器本体１の図示しないシボ加工が施された内壁面ＩＮにくっつかずに固められておにぎり２’が容易に形成でき、形成後、開口部１１Ａからおにぎり２’を取り出し、取り出したおにぎり２’に収納容器本体１の外側面に収納した海苔４又は図示しないふりかけを付着させるため、手を汚さないでおにぎり２’を形成でき、しかも、収納容器本体１内において海苔４又は図示しないふりかけがおにぎり２’又はご飯２に接触しない分、乾燥した海苔４又は図示しないふりかけをおにぎり２’に付着させて食することができる。
【００２２】
なお、おにぎり２’に海苔４又は図示しないふりかけを付着させる際、収納容器本体１を開口、つまり、収納容器本体１から蓋体１２を離脱させて、図９及び図１０に示すように、蓋体１２の方へおにぎり２’を移行させることができ、移行させた場合、おにぎり２’が蓋体１２から露出する分、おにぎり２’に海苔４又は図示しないふりかけを容易に付着させることができる。
【００２３】
上述した図１乃至図１１記載のおにぎりケースＭの実施例においては、収納容器本体１は、凹状の容器部材１１と、この容器部材１１の開口部１１Ａを開閉する蓋体１２を有
したが、本願発明のおにぎりケースＭは、これに限らず、例えば、図１２記載のおにぎりケースＭでも良い。
図１２記載のおにぎりケースＭの収納容器本体１は、凹状の第１の容器部材１１’と、この第１の容器部材１１’の第１の開口縁部１１’ａに当接する第２の開口縁部１２’ａを有した凹状の第２の容器部材１２’とを設け、第１の開口縁部１１’ａと第２の開口縁部１２’ａを当接させた分離可能なものでも良い。
図１２記載の収納容器本体１にあっても、図１乃至図１１記載のおにぎりケースＭと同様、望ましくは、収納容器本体１の内壁面１Ｎ全体に亘ってシボ加工が施されているのが良い。
【００２４】
また、上述した図１乃至図１１記載のおにぎりケースＭの実施例においては、覆い体３は、一端を回動自在に支持され、覆い体３の裏面側に設けた係止部３１を壁５に設けた被係止部５１に係止するようにしているが、本願発明にあっては、これに限らず、例えば、図１２に示すように、覆い体３は、幅より丈が長い長手形状部材であり、この長手形状部材の一端に第１の被係止部材（例えば、開口部）３３、前記長手形状部材の他端に第２の被係止部材（例えば、開口部）３４をそれぞれ設け、収納容器本体１の第１の容器部材１１の外側に第１の被係止部材３３に係止する第１の係止部材（例えば、突起部）１１’３を、収納容器本体１の第２の容器部材１２の外側に第２の被係止部材３４に係止する第２の係止部材（例えば、突起部）１２’４をそれぞれ設けるようにしても良い。
【００２５】
また、上述した図１乃至図１１記載のおにぎりケースＭの実施例においては、おにぎり２’に海苔４又は図示しないふりかけを付着させる際、収納容器本体１を開口、つまり、収納容器本体１から蓋体１２を離脱させて、図９及び図１０に示すように、蓋体１２又は第１の容器部材（又は第２の容器部材）の方へおにぎり２’を移行させるようにしたが、本願発明のおにぎりケースＭは、これに限らず、例えば、図１２に示すおにぎりケースＭにおいては、収納容器本体１を開口、つまり、収納容器本体１の第１の容器部材１１’と第２の容器部材１２’とを分離させて、図示しないが、第１の容器部材１１’（又は第２の容器部材１２’）の方へおにぎりを移行させるようにしても良い。
【００２６】
また、上述した図１乃至図１２記載のおにぎりケースＭの収納容器本体１、図２記載のおにぎりケースＭの収納容器本体１は、正面視及び背面視において、略三角形であり、左側面視、右側面視、平面視及び底面視において、略長方形であり、スペースＳは、少なくとも、収納容器本体１の底面から収納容器本体１の正面（又は収納容器本体１の背面）に亘って形成され［図５及び図１２（ｂ）参照］ているが、本願発明にあっては、おにぎりの形は、三角形に限らず、円形、円柱形（俵形）でも良い。
円形、円柱形（俵形）の場合、収納容器本体は、図示しないが、正面視及び背面視において、略三角形であり、左側面視、右側面視、平面視及び底面視において、略長方形であり、スペースＳは、少なくとも、収納容器本体の底面から収納容器本体の正面（又は収納容器本体の背面）に亘って形成され、
おにぎりの形が三角形、円形、円柱形（俵形）でも、スペースＳは、少なくとも、収納容器本体１の底面から収納容器本体１の正面（又は収納容器本体１の背面）に亘って形成されるため、収納容器本体１を有効活用して、より多くの海苔４又はふりかけを収納することができる。
【符号の説明】
【００２７】
Ｍ      おにぎりケース
１      収納容器本体
２      ご飯
２’    おにぎり
３      覆い体  
４      海苔
Ｓ      スペース 
【図１】
2015164480.tif 000003
【図２】
2015164480.tif 000004
【図３】
2015164480.tif 000005
【図４】
2015164480.tif 000006
【図５】
2015164480.tif 000007
【図６】
2015164480.tif 000008
【図７】
2015164480.tif 000009
【図８】
2015164480.tif 000010
【図９】
2015164480.tif 000011
【図１０】
2015164480.tif 000012
【図１１】
2015164480.tif 000013
【図１２】
2015164480.tif 000014